(57)【要約】【課題】  本発明はサービス提供システムのサービス提供に関し、より詳細にはサービスを要求する情報端末の動作環境に基づいてサービスの提供を行うサービス提供サーバ、情報端末、サービス提供方法およびサービス提供プログラムを提供することを目的とする。【解決手段】  情報端末の動作環境情報を取得し端末ＩＤを付与して登録するとともに付与した端末ＩＤを情報端末に送信しておき、情報端末からのサービス要求時にサービスＩＤと端末ＩＤとを取得し、取得したサービスＩＤにより検索したコンテンツを端末ＩＤを基に要求のあった情報端末の動作環境情報を取り出し、その動作環境に準じて送信するよう構成する。【選択図】    図１
2007226684.tif 000002
【特許請求の範囲】
【請求項１】
情報端末が所望するサービスを該情報端末の動作環境に合わせて提供するサービス提供システムのサービス提供サーバであって、
前記情報端末の動作環境の登録要求に基づいて、該情報端末の動作環境情報を取得する動作環境情報取得手段と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手段と、
前記情報端末からのサービス要求に基づいて、該情報端末から要求されたサービスＩＤと前記端末ＩＤとを取得するサービス受付手段と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手段と、
を有することを特徴とするサービス提供サーバ。
【請求項２】
情報端末の動作環境に合わせてサービスの提供するサービス提供システムから所望のサービスの提供を受ける情報端末であって、
動作環境の登録要求に際して、入力された動作環境情報を前記サービス提供システムのサービス提供サーバに送信する動作環境登録要求手段と、
前記サービス提供サーバから、前記動作環境の登録に基づいて送信された端末ＩＤを端末ＩＤ記憶部に記憶する端末ＩＤ記憶手段と、
サービスの提供要求に際して、入力されたサービスＩＤに添付して前記端末ＩＤ記憶部から端末ＩＤを取り出して前記サービス提供サーバに送信するサービス要求手段と、
前記情報端末の動作環境に準じたサービスのコンテンツを前記サービス提供サーバから受信するコンテンツ受信手段と、
を有することを特徴とする情報端末。
【請求項３】
前記動作環境情報は、ハードウェア仕様、ソフトウェア仕様および通信仕様を含む、
ことを特徴とする請求項１記載のサービス提供サーバ。
【請求項４】
情報端末が所望するサービスを該情報端末の動作環境に合わせて提供するサービス提供サーバのサービス提供方法であって、
前記サービス提供サーバは、
前記情報端末の動作環境の登録要求に基づいて、該情報端末の動作環境情報を取得する動作環境情報取得手順と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手順と、
前記情報端末からのサービス要求に基づいて、該情報端末から要求されたサービスＩＤと前記端末ＩＤとを取得するサービス受付手順と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手順と、
を有することを特徴とするサービス提供方法。
【請求項５】
情報端末が所望するサービスを該情報端末の動作環境に合わせて提供するサービス提供サーバのサービス提供プログラムであって、
サービス提供サーバに、
前記情報端末の動作環境の登録要求に基づいて、該情報端末の動作環境情報を取得する動作環境情報取得手順と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手順と、
前記情報端末からのサービス要求に基づいて、該情報端末から要求されたサービスＩＤと前記端末ＩＤとを取得するサービス受付手順と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手順と、
を実行させるためのサービス提供プログラム。
【発明の詳細な説明】
【技術分野】
【０００１】
本発明はサービス提供システムのサービス提供に関し、より詳細にはサービスを要求する情報端末の動作環境を予め登録しておき、サービスの提供要求があったとき要求のあった情報端末の動作環境に基づいてサービスの提供を行うサービス提供サーバ、情報端末、サービス提供方法およびサービス提供プログラムに関する。
【背景技術】
【０００２】
ネットワークを介して文字情報や画像情報、音声情報などをサービスするサービス提供システムが盛んになりつつある。このようなサービス提供システムにおいて、サービスを受ける会員の端末はサービス運用者が定めた動作環境の基準に基づく端末に限定され、その限定の中でサービスの提供を受けていた。
【０００３】
例えば、競馬や競輪等の公営競技の運用者はレースの動画や静止画等の画像情報をネットワークを介して会員に提供している。このような運用者は画像提供のサービスにあたって動作環境の基準を指定している。例えば、利用する端末がＰＣ（Personal Computer）の場合では、ＯＳ（Operation Software）はWindows（登録商標）、ブラウザはInternet Explorer5.5SP2（商品名）以上、ＣＰＵ（Central Processing Unit）は500MHz以上、ディスプレイ解像度1024×768pixel以上、通信方式ＡＤＳＬ(Asymmetric Digital Subscriber Line）等の基準である。会員は所有するＰＣがこの基準を満足するものである場合に、サービスを受けることがてきる。もし、基準を満足しなければ、ＰＣのアップグレードを行うか基準を満足するＰＣを新たに購入する必要がある。この動作環境の基準は、技術の進歩により見直され、基準はより高いものへと変えられていく。 
【０００４】
運用者によっては動作環境をある程度広い範囲の基準とし、コンテンツ配信の仕様を示して会員に選択させる方法も行われている。例えば、300Kbps、500Kbps、1024Kbpsの3種類の配信仕様を用意し、会員がその中から所有する端末の動作環境に合う配信仕様でコンテンツのサービスが受けられることも実施されている。
【０００５】
コンテンツのサービス提供に関するものと関して、利用者が所有する複数の電子機器を連動させて所望のサービスを受ける方法が提案されている。この提案は、情報管理装置に予めサービスを実行する電子機器の組合せ(例えば、携帯電話とビデオ)をサービス固有情報として登録しておく。そして、利用者が例えば携帯電話から情報管理装置に対してサービス提供の要求を行うと、情報管理装置はサービス固有情報と電子機器が記憶する機器固有情報を基に実行可能なサービスの一覧を当該携帯電話に送信し、利用者がその一覧から所望するサービスを選択するとコンテンツをビデオにダウンロードするものである（特許文献１）。
【特許文献１】特開２００４−３４８７１１号公報
【発明の開示】
【発明が解決しようとする課題】
【０００６】
上記に示したように、コンテンツサービスを行っている運用者はサービスを受ける利用者の端末の動作環境に一定の基準を定めて運用を行っている。これは、種々の端末を所有する利用者全てにサービスを行おうとすると、サービスを端末の最低の基準に合わせることが必要となり、動作環境基準をある程度のレベルに定めることは止むを得ないものである。
【０００７】
しかしながら、情報機器の技術進歩は著しいものがあり、３年も経つと情報機器は既に古いものとなって動作環境基準の改定により合わなくなって利用者は今まで受けられていたサービスが受けられなくなる、という問題があった。一方で、最新の情報端末を所有したが動作環境基準がそのままで最新の性能を発揮するサービスが受けられない、と言う問題もある。
【０００８】
本発明は、利用者の所有する端末の使用環境に合わせてサービスが行える、あるいはサービスが受けられるサービス提供サーバ、情報端末、サービス提供方法およびサービス提供プログラムを提供することを目的とする。
【課題を解決するための手段】
【０００９】
本発明のサービス提供サーバ、情報端末、サービス提供方法およびサービス提供プログラムは以下のように構成される。
（１）第１の発明
第１の発明は、情報端末からサービスの要求があったとき、予め登録された情報端末の動作環境情報に基づいて要求のあったサービスを送信するサービス提供サーバである。
【００１０】
図１は第１の発明の原理を示すもので、サービス提供サーバは、動作環境情報取得手段１０、動作環境情報記憶手段２０、サービス受付手段３０およびコンテンツ送信手段４０から構成する。
【００１１】
動作環境情報取得手段１０は、情報端末の動作環境の登録要求があると、その情報端末から送信された情報端末の動作環境情報を取得する。
【００１２】
動作環境情報記憶手段２０は、動作環境情報取得手段において取得した動作環境情報によるサービス提供が可能であれば、端末ＩＤを付与して動作環境情報記憶部に記憶する。そして、この付与した端末ＩＤを登録要求を行った情報端末に送信する
サービス受付手段３０は、情報端末からのサービス要求を受ける際に、情報端末から要求するサービスのサービスＩＤとその情報端末の端末ＩＤとを取得する。
【００１３】
コンテンツ送信手段４０は、取得したサービスＩＤに対応するサービスを検索すると共に、同じく取得した端末ＩＤに対応する動作環境情報を動作環境情報記憶部から抽出し、抽出した動作環境情報に準じて検索結果のサービスのコンテンツを情報端末に送信する。
【００１４】
上記の構成により、利用者の情報端末の動作環境に合わせて要求されたサービスのコンテンツの送信ができるので、より多くの利用者にサービスの提供ができる。
（２）第２の発明
第２の発明は、サービスの要求に際して、入力されたサービスＩＤに端末ＩＤを自動的に付加してサービス提供サーバに要求することで、サービス提供サーバから情報端末の動作環境にあったサービスを受信する情報端末である。
【００１５】
図２は第２の発明の原理を示すもので、情報端末は動作環境登録要求手段５０、端末ＩＤ記憶手段６０、サービス要求手段７０およびコンテンツ受信手段８０サから構成する。
【００１６】
動作環境登録要求手段５０は、情報端末の動作環境の登録要求において、利用者によってその情報端末の動作環境情報が入力されると、入力された動作環境情報をサービス提供サーバに送信する。
【００１７】
端末ＩＤ記憶手段６０は、サービス提供サーバから動作環境の登録によって送信された端末ＩＤを情報端末の端末ＩＤ記憶部に記憶する。
【００１８】
サービス要求手段７０は、サービスの提供要求に際して利用者からサービスＩＤが入力されると、情報端末は端末ＩＤ記憶部に記憶した端末ＩＤを入力されたサービスＩＤに添付してサービス提供サーバに送信する。
【００１９】
コンテンツ受信手段８０は、情報端末の動作環境に準じたサービスのコンテンツをサービス提供サーバから受信する。
【００２０】
上記の構成により、利用者はサービス提供サーバに利用者が所有する情報端末の動作環境情報を登録しておけば、サービスの要求の際に情報端末が端末ＩＤを自動的にサービス提供サーバに送信するので、利用者が意識することなく情報端末の動作環境に合わせたサービスのコンテンツの提供を受けることができる。
（３）第３の発明
第３の発明は、第１の発明の動作環境情報が情報端末のハードウェア仕様、ソフトウェア仕様および通信仕様を含むものである。ハードウェア仕様とは例えばＣＰＵの動作周波数であり、ソフトウェア仕様は例えばＯＳの種類とそのバージョンであり、通信仕様は例えば通信方式である。
（４）第４の発明
第４の発明は第１の発明に基づいたサービス提供サーバのサービス提供方法である。
（５）第５の発明
第５の発明は第１の発明に基づいたサービス提供サーバのサービス提供プログラムである。
【発明の効果】
【００２１】
第１の発明により、利用者の所有する情報端末の動作環境に合わせたサービスを行うことで、より多くの利用者にサービスの提供ができるサービス提供サーバを実現できる。
【００２２】
第２の発明により、一旦利用者の所有する動作環境を登録しておけば、サービス要求時に情報端末が端末IDをサービス提供のサーバに自動送信してくれるので、利用者は特に意識することなく動作環境に合わせたサービスを受けられる情報端末を提供できる。また、所有する情報端末の性能がアップグレードしたときは、動作環境情報を更新すればより性能の高い新しい動作環境でサービスを受けられる。
【００２３】
第３の発明の発明により、ハードウェア、ソフトウェアおよび通信の各仕様を基にサービスの質の区分を詳細に分けた動作環境でのサービス提供サーバ提供ができる。
【００２４】
第4の発明により、利用者の所有する情報端末の動作環境に合わせたサービスを行うことで、より多くの利用者にサービスの提供ができるサービス提供方法を実現できる。
【００２５】
第5の発明により、利用者の所有する情報端末の動作環境に合わせたサービスを行うことで、より多くの利用者にサービスの提供ができるサービス提供プログラムを実現できる。
（実施例）
本発明の実施例について図３から図９を用いて説明する。
【００２６】
図３はサービス提供システムの全体構成を説明するもので、サービス提供システムはサービス提供サーバ１００、ネットワーク２００および情報端末３００で構成する。サービス提供サーバ１００は、情報端末３００からの要求に応じてサービス提供サーバ１００が格納しているコンテンツＤＢから要求されたサービスのコンテンツを取り出し情報端末３００の動作環境に合わせてコンテンツをネットワーク２００を介して送信する。ネットワーク２００はインターネット等のオープンなネットワークであり、情報端末３００は利用者がサービス提供サーバ１００からサービスの提供を受ける端末である。情報端末３００は、例えば携帯電話３０１、ＰＤＡ（Personal Digital Assistance）３０２あるいはＰＣ３０３などであり、一人の利用者がこれらの情報端末３００をサービス提供サーバ１００に登録しておき、状況に応じて情報端末３００を使い分けてそれぞれの情報端末３００の動作環境に合わせたサービスの提供を受けるものである。
【００２７】
図４は、サービス提供サーバ１００の構成例を示すもので、データやプログラムを制御するＣＰＵ(Central Processing Unit)１１０、情報端末３００とのデータの遣り取りをネットワーク２００を介して行う通信制御部２００、サービス提供プログラム１５０をローディングして実行を行うＲＡＭ１４０、および利用者である会員とその利用者の情報端末の認証を行う会員／端末認証情報ＤＢ１３０、利用者が所有する情報端末の動作環境情報を記憶した端末動作環境情報ＤＢ１３１、利用者から情報端末の登録要求があったときサービス提供のレベルを決定するためのサービスレベル判定テーブル１３２および各種サービスのコンテンツを記憶したサービスコンテンツＤＢ１３３から構成する。
【００２８】
サービス提供プログラム１５０はさらに動作環境登録処理１５１、会員／端末認証処理１５２、サービス検索処理１５３およびコンテンツ送信処理１５４から構成する。次にこれらの各処理プログラムの概要を説明する。
【００２９】
動作環境登録処理１５１は、利用者の情報端末３００からの要求に基づいて、その情報端末３００から動作環境情報を取得し、取得した動作環境によるサービス提供が可能である場合は、端末ＩＤを付与してその端末ＩＤと動作環境情報を会員／端末認証情報ＤＢ１３０および端末動作環境情報ＤＢ１３１に記憶する。
【００３０】
会員／端末認証処理１５２は、利用者からサービス要求のアクセスがあったとき、正規会員であることと使用している情報端末３００とを認証する処理を行う。具体的には利用者のサービス提供サーバへのアクセス時に利用者が入力した会員ＩＤとパスワード、および情報端末３００がそれらの情報に加えて送信した端末ＩＤとを取得する。そして、取得したこれらの情報を会員／端末認証情報ＤＢ１３０を参照して照合を行い、正規の会員であり、さらに登録されている情報端末３００であるかどうかを判断する。
【００３１】
サービス検索処理１５３は、会員（利用者）が要求したサービスをサービスコンテンツＤＢ１３３を検索して抽出する。抽出されたコンテンツがＯＳの種類やバージョン、画面解像度などに依存し、それらに応じたコンテンツが作られていればそれら全てを抽出する。
【００３２】
コンテンツ送信処理１５４は、サービス検索処理１５３で検索したサービスのコンテンツを要求のあった情報端末３００の動作環境のレベルに合わせて選択したり、送信条件を設定したりする。例えば、要求のあった情報端末３００が携帯電話３０１であれば、それにあった画面解像度のものが選択されることになる。また、コンテンツを動作環境に合わせて変換する必要があれば変換してもよい。そしてこれらのコンテンツを要求のあった情報端末３００に送信する。
【００３３】
次に、サービス提供サーバ１００が記憶する会員／端追跡認証情報ＤＢ１３０、端末動作環境情報ＤＢ１３１およびサービスレベル判定テーブル１３２のデータ例について説明する。
【００３４】
最初に会員／端末認証情報ＤＢ１３０のデータ例を図５を用いて説明する。会員／端末認証情報ＤＢ１３０は会員ＩＤをキーとしてパスワード、端末ＩＤ（１）〜端末ＩＤ（ｎ）のデータを記憶する。利用者が正規会員であるかどうかは、利用者が入力した会員ＩＤとパスワードとがこの会員／端追跡認証情報ＤＢ１３０に登録されていれば、正規会員とみなされる。さらに、情報端末３００から送られた端末ＩＤがこの会員／端追跡認証情報ＤＢ１３０に登録されていれば使用している情報端末３００は認証されることになる。例えば、会員ＩＤが「１１００２」の会員のパスワードは「ｗｘｙｚ」であり、この会員は「Ｃ２０１１」、「Ｋ１００１」および「Ａ００８８」のそれぞれの端末ＩＤを持つ３つの情報端末３００を登録している。因みに、ここでは端末ＩＤが「Ｃ」から始まるＩＤの端末はＰＣであり、同様に「Ｋ」は携帯電話、「Ａ」はＰＤＡで、端末ＩＤの最初の１文字が情報端末３００の種類を表している。
【００３５】
次に、端末動作環境情報ＤＢ１３１のデータ例を図６を用いて説明する。端末動作環境情報ＤＢ１３１は、端末ＩＤをキーとしてサービスレベル、ＣＰＵ、ＯＳ、Ｄｉｓｐｌａｙ等のフィールドから構成する。ＣＰＵ以降のこれらのフィールドに示す情報が動作環境の情報である。図６に示すデータ例ではＰＣおよびＰＤＡに対する動作環境情報を示すものであるが、携帯電話であれば機種番号のみでよい。携帯電話のベンダーによって動作環境が決定されるからである。図６の例では、端末ＩＤが「Ｃ２０１１」で、そのサービスレベルは「ａ０１」（サービスレベルについては後述する）、ＣＰＵは「Ｐｅｎｔｉｕｍ（登録商標）４（３．２ＧＨｚ）」、ＯＳは「Ｗｉｎｄｏｗｓ（登録商標）ＸＰ」、Ｄｉｓｐｌａｙは「１２８０×１０２４（ＳＸＧＡ）」の画面解像度を持っていることを示している。動作環境情報としては、この例に上げた他にブラウザの種類とバージョン、モデムの種類と通信速度などが考えられる。
【００３６】
続いて、サービスレベル判定テーブル１３２のデータ例を図７を用いて説明する。サービスレベル判定テーブル１３２は、サービスレベルをキーとしてＣＰＵ、ＯＳ、Ｄｉｓｐｌａｙ等のフィールドから構成する。サービスレベルは、ここに示される項目（ＣＰＵやＯＳ等）の内容によって提供するサービスの程度を定める区分である。例えば、「ａ０１」のサービスレベルは、ＣＰＵが「Ｐｅｎｔｉｕｍ（登録商標）４」で、ＯＳは「Ｗｉｎｄｏｗｓ（登録商標）ＸＰ」、Ｄｉｓｐｌａｙが「１２８０×１０２４」を備える情報端末３００に対してサービスするレベルのものであることを示すものである。これに対し「ａ０２」はＤｉｓｐｌａｙの画面解像度が「８００×６００」と低く、例えば静止画の画像情報を送るときはこの解像度のデータがあればそれを送るが、解像度以上の解像度のものしかなければ「８００×６００」に変換して送信する。
【００３７】
以上でデータ例の説明は終わり、次に動作環境情報の登録のフローとサービス要求のフローについて説明する。
【００３８】
図８は動作環境情報の登録フロー例で、情報端末３００とサービス提供サーバ１００との遣り取りを示している。ここでは、サービス提供サーバ１００側からの表現でフローを以下に説明する。
【００３９】
情報端末３００から情報端末の動作環境の登録要求を受けて、先ず端末種類の選択画面を要求のあった情報端末３００に送信する。端末種類の選択画面に基づいて選択された情報に基づいて、その端末種類に対する動作環境の入力画面の情報を送信する。例えば、端末の種類が携帯電話であれば携帯電話用の入力画面を、ＰＣであればＰＣ用の入力画面を送信する。この入力画面に入力された動作環境情報を受信し、受信した動作環境でサービス提供サーバの提供が可能かどうかをチェックする（Ｓ１００−Ｓ１５０）。
【００４０】
サービスの提供が可能であれば（チェックＯＫなら）、サービスレベル判定テーブル１３２を参照してサービスレベルを決定する。続いて、端末ＩＤを付与して会員／端末認証情報ＤＢ１３０に登録するとともに、端末ＩＤをキーとして端末動作環境情報ＤＢ１３１に登録する。また、端末ＩＤを情報端末３００に送信する。情報端末３００は送信された端末ＩＤを所定の記憶場所に記憶する。サービスの提供が不可であれば、登録要求のあった情報端末３００の動作環境ではサービスの提供は不可であるメッセージを情報端末３００に送信する（Ｓ１６０−Ｓ２２０）。
【００４１】
以上のフローで情報端末３００からの動作環境情報の登録がサービス提供サーバ１００においてなされる。
【００４２】
次に、サービス要求のフローを図９を用いて説明する。ここでも、サービス提供サーバ１００側から見た表現で説明する。
【００４３】
サービス提供サーバ１００は、情報端末３００からサービス要求のアクセスがなされると、会員ＩＤとパスワードの入力画面を情報端末３００に送信する。続いてサービス提供サーバ１００は、利用者によって入力された会員ＩＤとパスワード、および情報端末３００が記憶している端末ＩＤ（情報端末３００が会員ＩＤとパスワードに添付して自動送信）とを受信し、これらの情報が会員／端末認証情報ＤＢ１３０に記憶されているかどうかを照合する（Ｓ３００−Ｓ３４０）。
【００４４】
照合の結果に問題がなければ（会員／端末認証情報ＤＢ１３０に記憶された情報と一致すれば）、サービスメニューの画面情報を端末の動作環境に準じて送信する。端末の動作環境は、取得した端末ＩＤにより動作環境情報ＤＢ１３１を参照して知ることができる。情報端末３００から、サービスメニュー画面から選択されたサービスＩＤを受信し、このサービスＩＤをもとにサービスコンテンツＤＢ１３３を検索し、該当するサービスのコンテンツを抽出する。そして、抽出したコンテンツをサービスを要求した情報端末３００の動作環境に準じて送信する。情報端末３００は、サービス提供サーバ１００から送信されたコンテンツを受信し、表示する。
【００４５】
会員と端末の認証において、情報端末３００から送信された会員ＩＤ、パスワードおよび端末ＩＤが会員／端末認証情報ＤＢ１３０に登録されていなければ会員ＩＤまたはパスワードの入力ミスであること、あるいは使用している情報端末が登録されたものでないことを通知するエラーメッセージを送信する。情報端末３００はこのエラーメッセージを受信し表示する（Ｓ３５０−Ｓ４２０）。
【００４６】
以上のフローで情報端末３００はサービス提供サーバ１００からサービスの提供を受けることができる。
【００４７】
以上の実施例に関し、さらに以下の付記を開示する。
【００４８】
（付記１）
情報端末が所望するサービスを該情報端末の動作環境に合わせて提供するサービス提供システムのサービス提供サーバであって、
前記情報端末の動作環境の登録要求に基づいて、該情報端末の動作環境情報を取得する動作環境情報取得手段と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手段と、
前記情報端末からのサービス要求に基づいて、該情報端末から要求されたサービスＩＤと前記端末ＩＤとを取得するサービス受付手段と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手段と、
を有することを特徴とするサービス提供サーバ。
【００４９】
（付記２）
情報端末の動作環境に合わせてサービスの提供するサービス提供システムから所望のサービスの提供を受ける情報端末であって、
動作環境の登録要求に際して、入力された動作環境情報を前記サービス提供システムのサービス提供サーバに送信する動作環境登録要求手段と、
前記サービス提供サーバから、前記動作環境の登録に基づいて送信された端末ＩＤを端末ＩＤ記憶部に記憶する端末ＩＤ記憶手段と、
サービスの提供要求に際して、入力されたサービスＩＤに添付して前記端末ＩＤ記憶部から端末ＩＤを取り出して前記サービス提供サーバに送信するサービス要求手段と、
前記情報端末の動作環境に準じたサービスのコンテンツを前記サービス提供サーバから受信するコンテンツ受信手段と、
を有することを特徴とする情報端末。
【００５０】
（付記３）
前記動作環境情報は、ハードウェア仕様、ソフトウェア仕様および通信仕様を含む、
ことを特徴とする請求項１記載のサービス提供サーバ。
【００５１】
（付記４）
情報端末が所望するサービスを該情報端末の動作環境に合わせて提供するサービス提供サーバのサービス提供方法であって、
前記サービス提供サーバは、
前記情報端末の動作環境の登録要求に基づいて、該情報端末の動作環境情報を取得する動作環境情報取得手順と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手順と、
前記情報端末からのサービス要求に基づいて、該情報端末から要求されたサービスＩＤと前記端末ＩＤとを取得するサービス受付手順と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手順と、
を有することを特徴とするサービス提供方法。
【００５２】
（付記５）
情報端末が所望するサービスを該情報端末の動作環境に合わせて提供するサービス提供サーバのサービス提供プログラムであって、
サービス提供サーバに、
前記情報端末の動作環境の登録要求に基づいて、該情報端末の動作環境情報を取得する動作環境情報取得手順と、
前記取得した動作環境情報に準じたサービスの提供が可能であれば、端末ＩＤを付与して該端末ＩＤに対応付けて該動作環境情報を動作環境情報記憶部に記憶すると共に、該端末ＩＤを前記情報端末に送信する動作環境情報記憶手順と、
前記情報端末からのサービス要求に基づいて、該情報端末から要求されたサービスＩＤと前記端末ＩＤとを取得するサービス受付手順と、
前記サービスＩＤに対応するサービスを検索すると共に、前記端末ＩＤの動作環境情報を前記動作環境情報記憶部から抽出し、抽出した動作環境情報に準じて検索結果のサービスのコンテンツを前記情報端末に送信するコンテンツ送信手順と、
を実行させるためのサービス提供プログラム。
【００５３】
（付記６）
情報端末の動作環境に合わせてサービスの提供するサービス提供システムから所望のサービスの提供を受ける情報端末のサービス要求プログラムであって、
前記情報端末に、
動作環境の登録要求に際して、入力された動作環境情報を前記サービス提供システムのサービス提供サーバに送信する動作環境登録要求手順と、
前記サービス提供サーバから、前記動作環境の登録に基づいて送信された端末ＩＤを端末ＩＤ記憶部に記憶する端末ＩＤ記憶手順と、
サービスの提供要求に際して、入力されたサービスＩＤに添付して前記端末ＩＤ記憶部から端末ＩＤを取り出して前記サービス提供サーバに送信するサービス要求手順と、
前記情報端末の動作環境に準じたサービスのコンテンツを前記サービス提供サーバから受信するコンテンツ受信手順と、
を実行させるためのサービス要求プログラム。
【００５４】
（付記７）
前記動作環境情報は、ハードウェア仕様、ソフトウェア仕様および通信仕様を含む、
ことを特徴とする付記２記載の情報端末。
【図面の簡単な説明】
【００５５】
【図１】第１の発明の原理図である。
【図２】第２の発明の原理図である。
【図３】サービス提供システムの全体構成例である。
【図４】サービス提供サーバの構成例である。
【図５】会員／端末認証情報DBのデータ例である。
【図６】端末動作環境情報DBのデータ例である。
【図７】サービスレベル判定テーブルのデータ例である。
【図８】動作環境情報の登録フロー例である。
【図９】サービス要求のフロー例である。
【符号の説明】
【００５６】
１０    動作環境情報取得手段
２０    動作環境情報記憶手段
３０    サービス受付手段
４０    コンテンツ送信手段
５０    動作環境登録要求手段
６０    端末ＩＤ記憶手段
７０    サービス要求手段
８０    コンテンツ受信手段
１００  サービス提供サーバ
１１０  ＣＰＵ
１２０  通信制御部
１３０  魁夷／端末認証情報ＤＢ
１３１  動作環境情報
１３２  サービスレベル判定テーブル
１３３  サービスコンテンツＤＢ
１４０  ＲＡＭ
１５０  サービス提供プログラム
１５１  動作環境登録処理
１５２  会員／端末認証処理
１５３  サービス検索処理
１５４  コンテンツ送信処理
２００  ネットワーク
３００  情報端末
３０１  携帯電話
３０２  ＰＤＡ
３０３  ＰＣ
【図１】
2007226684.tif 000003
【図２】
2007226684.tif 000004
【図３】
2007226684.tif 000005
【図４】
2007226684.tif 000006
【図５】
2007226684.tif 000007
【図６】
2007226684.tif 000008
【図７】
2007226684.tif 000009
【図８】
2007226684.tif 000010
【図９】
2007226684.tif 000011